(57)【特許請求の範囲】
【請求項１】
少なくとも１つのアクティブ制御チャネルの非排他的多重化の方法において、
送信機データプロセッサを使用して、次のフレーム中で送信するための前記少なくとも１つのアクティブ制御チャネルを準備し、前記少なくとも１つのアクティブ制御チャネルは、非排他的多重化コンスタレーションを使用する送信に対して準備されることと、
チャネルロバストネスしきい値に基づいて、前記少なくとも１つのアクティブ制御チャネルのチャネルロバストネスを評価することと、
前記チャネルロバストネスしきい値が満たされない場合、前記少なくとも１つのアクティブ制御チャネルを送信する前に、前記少なくとも１つのアクティブ制御チャネルの非排他的多重化コンスタレーションに、コンスタレーション制御または電力制御を実行することと、
前記チャネルロバストネスしきい値が満たされる場合、送信機を使用して、前記少なくとも１つのアクティブ制御チャネルを送信することと
を含み、
前記コンスタレーション制御を実行するステップは、前記非排他的多重化コンスタレーション中の第１のコンスタレーションポイントを削除することを含み、
前記第１のコンスタレーションポイントは、前記非排他的多重化コンスタレーション中で、第２のコンスタレーションポイントからの最小の距離を有し、
前記第１のコンスタレーションポイントは、第１の宛先アドレスに対応し、前記第２のコンスタレーションポイントは、第２の宛先アドレスに対応する、方法。
【請求項２】
前記最小の距離はハミング距離である、請求項１記載の方法。
【請求項３】
前記コンスタレーション制御は、巡回冗長性チェック（ＣＲＣ）コードの演算を含む、請求項１記載の方法。
【請求項４】
前記チャネルロバストネスしきい値は、以下のメトリクス：信号対雑音比（ＳＮＲ）、フェードレート、ビットエラーレート、または、フレームエラーレート、のうちの１つに基づいている、請求項１記載の方法。
【請求項５】
時分割多重化（ＴＤＭ）、周波数分割多重化（ＦＤＭ）、コード分割多重化（ＣＤＭ）、または、これらの組み合わせのうちの１つを使用して、前記少なくとも１つのアクティブ制御チャネルを送信することをさらに含む、請求項１記載の方法。
【請求項６】
前記少なくとも１つのアクティブ制御チャネルは、フォワードリンク制御シグナリング（ＦＬＣＳ）である、請求項１記載の方法。
【請求項７】
前記少なくとも１つのアクティブ制御チャネルは、ウルトラモバイルブロードバンド（ＵＭＢ）ワイヤレスシステムの一部である、請求項６記載の方法。
【請求項８】
少なくとも１つのアクティブ制御チャネルの非排他的多重化のための基地局において、
次のフレーム中で送信するための前記少なくとも１つのアクティブ制御チャネルを準備する送信機データプロセッサと、
チャネルロバストネスしきい値に基づいて、前記少なくとも１つのアクティブ制御チャネルのチャネルロバストネスを評価する制御プロセッサと、
前記制御プロセッサに結合されており、前記チャネルロバストネスしきい値が満たされない場合、前記少なくとも１つのアクティブ制御チャネルを送信する前に、前記少なくとも１つのアクティブ制御チャネルの非排他的多重化コンスタレーションに、コンスタレーション制御または電力制御を実行するシンボル変調器と、
前記シンボル変調器に結合されており、前記チャネルロバストネスしきい値が満たされる場合、前記少なくとも１つのアクティブ制御チャネルを送信する送信機と
を具備し、
前記少なくとも１つのアクティブ制御チャネルは、非排他的多重化コンスタレーションを使用する送信に対して準備され、
前記シンボル変調器は、前記コンスタレーション中の第１のコンスタレーションポイントを削除することによって、コンスタレーション制御を実行し、
前記第１のコンスタレーションポイントは、前記非排他的多重化コンスタレーション中で、第２のコンスタレーションポイントからの最小の距離を有し、
前記第１のコンスタレーションポイントは、第１の宛先アドレスに対応し、前記第２のコンスタレーションポイントは、第２の宛先アドレスに対応する、基地局。
【請求項９】
前記最小の距離はハミング距離である、請求項８記載の基地局。
【請求項１０】
前記コンスタレーション制御は、巡回冗長性チェック（ＣＲＣ）コードの演算を含む、請求項８記載の基地局。
【請求項１１】
前記チャネルロバストネスしきい値は、以下のメトリクス：信号対雑音比（ＳＮＲ）、フェードレート、ビットエラーレート、または、フレームエラーレート、のうちの１つに基づいている、請求項８記載の基地局。
【請求項１２】
前記送信機は、時分割多重化（ＴＤＭ）、周波数分割多重化（ＦＤＭ）、コード分割多重化（ＣＤＭ）、または、これらの組み合わせのうちの１つを使用して、前記少なくとも１つのアクティブ制御チャネルを送信する、請求項８記載の基地局。
【請求項１３】
前記少なくとも１つのアクティブ制御チャネルは、フォワードリンク制御シグナリング（ＦＬＣＳ）である、請求項８記載の基地局。
【請求項１４】
前記基地局は、ウルトラモバイルブロードバンド（ＵＭＢ）ワイヤレスシステムの一部である、請求項１３記載の基地局。
【請求項１５】
少なくとも１つのアクティブ制御チャネルの非排他的多重化のための基地局において、
送信機データプロセッサを使用して、次のフレーム中で送信するための前記少なくとも１つのアクティブ制御チャネルを準備する手段と、
チャネルロバストネスしきい値に基づいて、前記少なくとも１つのアクティブ制御チャネルのチャネルロバストネスを評価する手段と、
前記チャネルロバストネスしきい値が満たされない場合、前記少なくとも１つのアクティブ制御チャネルを送信する前に、前記少なくとも１つのアクティブ制御チャネルの非排他的多重化コンスタレーションに、コンスタレーション制御または電力制御を実行する手段と、
前記チャネルロバストネスしきい値が満たされる場合、前記少なくとも１つのアクティブ制御チャネルを送信する手段と
を具備し、
前記少なくとも１つのアクティブ制御チャネルは、非排他的多重化コンスタレーションを使用する送信に対して準備され、
コンスタレーション制御を実行する手段は、前記コンスタレーション中の第１のコンスタレーションポイントを削除し、
前記第１のコンスタレーションポイントは、前記非排他的多重化コンスタレーション中で、第２のコンスタレーションポイントからの最小の距離を有し、
前記第１のコンスタレーションポイントは、第１の宛先アドレスに対応し、前記第２のコンスタレーションポイントは、第２の宛先アドレスに対応する、基地局。
【請求項１６】
前記最小の距離はハミング距離である、請求項１５記載の基地局。
【請求項１７】
前記コンスタレーション制御は、巡回冗長性チェック（ＣＲＣ）コードの演算を含む、請求項１５記載の基地局。
【請求項１８】
前記チャネルロバストネスしきい値は、以下のメトリクス：信号対雑音比（ＳＮＲ）、
フェードレート、ビットエラーレート、または、フレームエラーレート、のうちの１つに基づいている、請求項１５記載の基地局。
【請求項１９】
前記少なくとも１つのアクティブ制御チャネルを送信する手段は、時分割多重化（ＴＤＭ）、周波数分割多重化（ＦＤＭ）、コード分割多重化（ＣＤＭ）、または、これらの組み合わせのうちの１つを使用する、請求項１５記載の基地局。
【請求項２０】
前記少なくとも１つのアクティブ制御チャネルは、フォワードリンク制御シグナリング（ＦＬＣＳ）であり、前記基地局は、ウルトラモバイルブロードバンド（ＵＭＢ）ワイヤレスシステムの一部である、請求項１５記載の基地局。
【請求項２１】
記憶されているプログラムコードを含むコンピュータ読取可能記憶媒体において、
送信機データプロセッサを使用して、次のフレーム中で送信するための前記少なくとも１つのアクティブ制御チャネルを準備するためのプログラムコードと、
チャネルロバストネスしきい値に基づいて、前記少なくとも１つのアクティブ制御チャネルのチャネルロバストネスを評価するためのプログラムコードと、
前記チャネルロバストネスしきい値が満たされない場合、前記少なくとも１つのアクティブ制御チャネルを送信する前に、前記少なくとも１つのアクティブ制御チャネルの非排他的多重化コンスタレーションに、コンスタレーション制御または電力制御を実行するためのプログラムコードと、
前記チャネルロバストネスしきい値が満たされる場合、送信機を使用して、前記少なくとも１つのアクティブ制御チャネルを送信するためのプログラムコードと
を含み、
前記少なくとも１つのアクティブ制御チャネルは、非排他的多重化コンスタレーションを使用する送信に対して準備され、
前記コンスタレーション制御を実行するためのプログラムコードは、前記コンスタレーション中の第１のコンスタレーションポイントを削除するためのプログラムコードをさらに含み、
前記第１のコンスタレーションポイントは、前記非排他的多重化コンスタレーション中で、第２のコンスタレーションポイントからの最小の距離を有し、
前記第１のコンスタレーションポイントは、第１の宛先アドレスに対応し、前記第２のコンスタレーションポイントは、第２の宛先アドレスに対応する、コンピュータ読取可能記憶媒体。
【請求項２２】
前記最小の距離はハミング距離である、請求項２１記載のコンピュータ読取可能記憶媒体。
【請求項２３】
前記コンスタレーション制御は、巡回冗長性チェック（ＣＲＣ）コードの演算を含む、請求項２１記載のコンピュータ読取可能記憶媒体。
【請求項２４】
前記チャネルロバストネスしきい値は、以下のメトリクス：信号対雑音比（ＳＮＲ）、
フェードレート、ビットエラーレート、または、フレームエラーレート、のうちの１つに基づいている、請求項２１記載のコンピュータ読取可能記憶媒体。
【請求項２５】
前記少なくとも１つのアクティブ制御チャネルを送信するためのプログラムコードは、時分割多重化（ＴＤＭ）、周波数分割多重化（ＦＤＭ）、コード分割多重化（ＣＤＭ）、または、これらの組み合わせのうちの１つを使用する、請求項２１記載のコンピュータ読取可能記憶媒体。
【請求項２６】
前記少なくとも１つのアクティブ制御チャネルは、フォワードリンク制御シグナリング（ＦＬＣＳ）であり、ウルトラモバイルブロードバンド（ＵＭＢ）ワイヤレスシステムの一部である、請求項２１記載のコンピュータ読取可能記憶媒体。
【発明の詳細な説明】
【米国法第３５部第１１９条に基づく優先権の主張】
【０００１】
本出願は、２００８年６月１１日に出願され、“フォワードリンク制御シグナリングのための非排他的多重化のチャネルエラー制御”と題されている米国仮出願シリアル番号第６１／０６０，６９６号に対する優先権を主張し、これは、本出願譲受人に譲渡され、ここで参照により明示的に組み込まれている。
【分野】
【０００２】
本開示は、一般的に、チャネルエラー制御のための装置および方法に関連する。より詳細には、本開示は、制御チャネル、例えば、フォワードリンク制御シグナリングの非排他的多重化のチャネルエラー制御に関連する。
【背景】
【０００３】
ワイヤレス通信システムは、固定の電気通信インフラストラクチャから離れている移動体ユーザに対して、または移動している移動体ユーザに対してさまざまな通信サービスを提供する。これらのワイヤレスシステムは、サービスエリアにおいて、移動体デバイスをさまざまな基地局に相互接続させる無線送信を採用している。基地局は、次に、移動体スイッチングセンターに接続され、移動体スイッチングセンターは、移動体デバイスへの接続および移動体デバイスから他のものへの接続を、公衆電話交換ネットワーク（ＰＳＴＮ）やインターネット等のさまざまな通信ネットワーク上でルーティングする。この方法では、その固定のサイトから離れているユーザまたは移動中のユーザは、音声電話や、ページングや、メッセージングや、ｅメールや、データ転送や、ビデオや、ウェブブラウジング等のような、さまざまな通信サービスを受け取ることができる。
【０００４】
ワイヤレス相互接続に対して無線周波数を使用するために、すべての移動体ユーザは、ワイヤレス通信サービスに対して割り振られている数少ない無線スペクトルを共有するための共通した１組のプロトコルに同意しなければならない。１つの重要なプロトコルは、複数の移動体デバイスをワイヤレス通信ネットワークに接続するために使用されるアクセス方法に関する。さまざまなアクセス方法は、周波数分割多元接続（ＦＤＭＡ）と、時分割多元接続（ＴＤＭＡ）と、コード分割多元接続（ＣＤＭＡ）と、直交周波数分割多重化（ＯＦＤＭ）とを含んでいる。
【概要】
【０００５】
制御チャネル、例えば、フォワードリンク制御シグナリングの非排他的多重化のチャネルエラー制御のための装置および方法を開示する。１つの観点にしたがうと、少なくとも１つのアクティブ制御チャネルの非排他的多重化の方法は、送信機データプロセッサを使用して、次のフレーム中で送信するための少なくとも１つのアクティブ制御チャネルを準備することと、チャネルロバストネスしきい値に基づいて、少なくとも１つのアクティブ制御チャネルのチャネルロバストネスを評価することと、チャネルロバストネスしきい値が満たされない場合、少なくとも１つのアクティブ制御チャネルを送信する前に、少なくとも１つのアクティブ制御チャネルに、コンスタレーション制御または電力制御を実行することと、チャネルロバストネスしきい値が満たされる場合、送信機を使用して、少なくとも１つのアクティブ制御チャネルを送信することとを含む。
【０００６】
別の観点にしたがうと、少なくとも１つのアクティブ制御チャネルの非排他的多重化のための基地局は、次のフレーム中で送信するための少なくとも１つのアクティブ制御チャネルを準備する送信機データプロセッサと、チャネルロバストネスしきい値に基づいて、少なくとも１つのアクティブ制御チャネルのチャネルロバストネスを評価する制御プロセッサと、制御プロセッサに結合されており、チャネルロバストネスしきい値が満たされない場合、少なくとも１つのアクティブ制御チャネルを送信する前に、少なくとも１つのアクティブ制御チャネルに、コンスタレーション制御または電力制御を実行するシンボル変調器と、シンボル変調器に結合されており、チャネルロバストネスしきい値が満たされる場合、少なくとも１つのアクティブ制御チャネルを送信する送信機とを具備する。
【０００７】
別の観点にしたがうと、少なくとも１つのアクティブ制御チャネルの非排他的多重化のための基地局は、送信機データプロセッサを使用して、次のフレーム中で送信するための少なくとも１つのアクティブ制御チャネルを準備する手段と、チャネルロバストネスしきい値に基づいて、少なくとも１つのアクティブ制御チャネルのチャネルロバストネスを評価する手段と、チャネルロバストネスしきい値が満たされない場合、少なくとも１つのアクティブ制御チャネルを送信する前に、少なくとも１つのアクティブ制御チャネルに、コンスタレーション制御または電力制御を実行する手段と、チャネルロバストネスしきい値が満たされる場合、少なくとも１つのアクティブ制御チャネルを送信する手段とを具備する。
【０００８】
別の観点にしたがうと、記憶されているプログラムコードを含むコンピュータ読取可能媒体は、送信機データプロセッサを使用して、次のフレーム中で送信するための少なくとも１つのアクティブ制御チャネルを準備するためのプログラムコードと、チャネルロバストネスしきい値に基づいて、少なくとも１つのアクティブ制御チャネルのチャネルロバストネスを評価するためのプログラムコードと、チャネルロバストネスしきい値が満たされない場合、少なくとも１つのアクティブ制御チャネルを送信する前に、少なくとも１つのアクティブ制御チャネルに、コンスタレーション制御または電力制御を実行するためのプログラムコードと、チャネルロバストネスしきい値が満たされる場合、送信機を使用して、少なくとも１つのアクティブ制御チャネルを送信するためのプログラムコードとを含む。
【０００９】
本開示の利点は、（１）非排他的多重化のチャネルロバストネスが、フレームごとに、指定され、また、保証されることを可能にすることと、（２）非排他的多重化の指定されたチャネルロバストネスが、フレームごとに、必要とされる最小の電力増加とともに達成されることを可能にすることと、（３）より高いシステム複雑性を犠牲にして、無線（ＯＴＡ）効率性において、非排他的多重化が、排他的多重化を性能上でしのぐことを可能にすることと、を含んでいてもよい。
【００１０】
例示としてのさまざまな観点を示し、記述している以下の詳細な説明から、他の観点が、当業者にとって容易に明らかになるだろうことが理解される。図面および詳細な説明は、説明的な性質のものであり、制限的なものでないとしてみなされるべきである。
【図面の簡単な説明】
【００１１】
【図１】図１は、例示的なアクセスノード／ＵＥシステムを図示するブロックダイアグラムである。
【図２】図２は、複数のユーザをサポートするワイヤレス通信システムの例を図示する。
【図３】図３は、制御チャネル、例えば、フォワードリンク制御シグナリング（ＦＬＣＳ）の排他的多重化の例示的なダイアグラムを図示する。
【図４】図４は、制御チャネル、例えば、フォワードリンク制御シグナリング（ＦＬＣＳ）の非排他的多重化の例示的なダイアグラムを図示する。
【図５】図５は、変調配列の３つの例を図示する。
【図６】図６は、排他的多重化コンスタレーションの例を図示する。
【図７】図７は、４ビット埋め込み宛先アドレスを使用する、非排他的多重化コンスタレーションの例を図示する。
【図８】図８は、スクランブリングのために宛先アドレスを使用する、非排他的多重化コンスタレーションの例を図示する。
【図９】図９は、非排他的多重化のコンスタレーション制御および電力制御の例を図示する。
【図１０】図１０は、エラー制御を有する、制御チャネル、例えば、フォワードリンク制御シグナリング（ＦＬＣＳ）の非排他的多重化の例示的なブロックダイアグラムを図示する。
【図１１】図１１は、制御チャネル、例えば、フォワードリンク制御シグナリング（ＦＬＣＳ）の非排他的多重化の例示的なフローダイアグラムを図示する。
【図１２】図１２は、制御チャネル、例えば、フォワードリンク制御シグナリング（ＦＬＣＳ）の非排他的多重化のチャネルエラー性能制御のためのプロセスを実行するためのメモリと通信しているプロセッサを備えるデバイスの例を図示する。
【図１３】図１３は、制御チャネル、例えば、フォワードリンク制御シグナリング（ＦＬＣＳ）の非排他的多重化のチャネルエラー性能制御のために適したデバイスの例を図示する。
【詳細な説明】
【００１２】
添付の図に関連して下記で述べる詳細な説明は、本開示のさまざまな観点の説明として意図され、本開示を実施できる観点のみを表すことを意図していない。本開示で説明するそれぞれの観点は、単に、本開示の例または例示として提供され、必ずしも、他の観点よりも好ましいものとして、あるいは、他の観点に対して有利なものとして、解釈すべきではない。詳細な説明は、本開示の完全な理解を提供する目的で、特定の詳細を含んでいる。しかしながら、本開示が、これらの特定の詳細なしに実施できることは、当業者にとって明らかだろう。いくつかの例では、本開示の概念を不明瞭にすることを避けるために、よく知られている構造およびデバイスが、ブロックダイアグラムの形で示されている。頭字語および他の説明的な専門用語は、便宜上および明確にするために使用されており、本開示の範囲を限定することを意図していない。
【００１３】
説明を簡単にする目的で、一連の動作として方法論を示し、説明しているが、いくつかの動作は、１つ以上の観点にしたがって、ここで示し説明しているのとは異なる順序でおよび／または他の動作と同時に起こるかもしれないので、方法論は、動作の順序によって限定されないことを理解し、正しく認識すべきである。例えば、当業者は、代替的に、状態ダイアグラムのような、一連の相互に関係のある状態またはイベントとして、方法論を表すことができることを理解し、正しく認識するだろう。さらに、１つ以上の観点にしたがって、方法論を実現するために、示しているすべての動作が必要とされるわけではない。
【００１４】
図１は、例示的なアクセスノード／ＵＥシステム１００を示しているブロックダイアグラムである。図１で示している例示的なアクセスノード／ＵＥシステム１００は、ＦＤＭＡ環境や、ＯＦＤＭＡ環境や、ＣＤＭＡ環境や、ＷＣＤＭＡ環境や、ＴＤＭＡ環境や、ＳＤＭＡ環境や、または、他の何らかの適切なワイヤレス環境で実現してもよいことを当業者は理解するだろう。
【００１５】
アクセスノード／ＵＥシステム１００は、（基地局としても知られる）アクセスノード１０１と、ユーザ機器、すなわち、（ワイヤレス通信デバイスまたは移動局としても知られる）ＵＥ２０１とを含んでいる。ダウンリンクレッグでは、（基地局としても知られる）アクセスノード１０１は、送信（ＴＸ）データプロセッサＡ １１０を備え、送信（ＴＸ）データプロセッサＡ １１０は、トラフィックデータを受け入れ、フォーマットし、コード化し、インターリーブし、および、変調（またはシンボルマッピング）して、（データシンボルとしても知られる）変調シンボルを提供する。ＴＸデータプロセッサＡ １１０は、シンボル変調器Ａ １２０と通信する。シンボル変調器Ａ １２０は、データシンボルおよびダウンリンクパイロットシンボルを受け入れて処理し、シンボルのストリームを提供する。１つの観点では、シンボル変調器Ａ １２０は、構成情報を提供するプロセッサＡ １８０と通信する。シンボル変調器Ａ １２０は、送信機ユニット（ＴＭＴＲ）Ａ １３０と通信する。シンボル変調器Ａ １２０は、データシンボルとダウンリンクパイロットシンボルとを多重化して、それらを送信機ユニットＡ １３０に提供する。
【００１６】
送信される各シンボルは、データシンボル、ダウンリンクパイロットシンボル、または、０の信号値であってもよい。ダウンリンクパイロットシンボルは、各シンボル期間中で連続的に送られてもよい。１つの観点では、ダウンリンクパイロットシンボルは、周波数分割多重化（ＦＤＭ）される。別の観点では、ダウンリンクパイロットシンボルは、直交周波数分割多重化（ＯＦＤＭ）される。さらに別の観点では、ダウンリンクパイロットシンボルは、コード分割多重化（ＣＤＭ）される。１つの観点では、送信機ユニットＡ １３０は、シンボルのストリームを受け取って、１つ以上のアナログ信号へとコンバートし、さらに、アナログ信号を調整し、例えば、増幅し、フィルタリングし、および／または、周波数アップコンバートし、ワイヤレス送信に適したアナログダウンリンク信号を発生させる。アナログダウンリンク信号は、その後、アンテナ１４０を通して送信される。
【００１７】
ダウンリンクレッグにおいて、ＵＥ２０１は、アナログダウンリンク信号を受信して、アナログダウンリンク信号を受信機ユニット（ＲＣＶＲ）Ｂ ２２０に入力するためのアンテナ２１０を備えている。１つの観点では、受信機ユニットＢ ２２０は、アナログダウンリンク信号を第１の「調整した」信号へと、調整し、例えば、フィルタリングし、増幅し、および、周波数ダウンコンバートする。第１の「調整した」信号は、その後、サンプリングされる。受信機ユニットＢ ２２０は、シンボル復調器Ｂ ２３０と通信する。シンボル復調器Ｂ ２３０は、受信機ユニットＢ ２２０から出力された、（データシンボルとしても知られる）第１の「調整した」および「サンプリングした」信号を復調する。当業者は、代替実施形態が、シンボル復調器Ｂ ２３０におけるサンプリングプロセスを実現することを理解するだろう。シンボル復調器Ｂ ２３０は、プロセッサＢ ２４０と通信する。プロセッサＢ ２４０は、ダウンリンクパイロットシンボルをシンボル復調器Ｂ ２３０から受け取って、ダウンリンクパイロットシンボル上でチャネル推定を行う。１つの観点では、チャネル推定は、現在の伝播環境を特徴づけるプロセスである。シンボル復調器Ｂ ２３０は、ダウンリンクレッグに対する周波数応答推定をプロセッサＢ ２４０から受け取る。シンボル復調器Ｂ ２３０は、データシンボル上でデータ復調を行って、ダウンリンクパス上のデータシンボル推定を取得する。ダウンリンクパス上のデータシンボル推定は、送信されたデータシンボルの推定である。シンボル復調器Ｂ ２３０はまた、ＲＸデータプロセッサＢ ２５０と通信する。
【００１８】
ＲＸデータプロセッサＢ ２５０は、ダウンリンクパス上のデータシンボル推定をシンボル復調器Ｂ ２３０から受け取って、ダウンリンクパス上のデータシンボル推定を、例えば、復調（すなわち、シンボルデマッピング）し、インターリーブし、および／または、デコードして、トラフィックデータを復元する。１つの観点では、シンボル復調器Ｂ ２３０およびＲＸデータプロセッサＢ ２５０による処理はそれぞれ、シンボル変調器Ａ １２０およびＴＸデータプロセッサＡ １１０による処理に対して相補的である。
【００１９】
アップリンクレッグにおいて、ＵＥ２０１は、ＴＸデータプロセッサＢ ２６０を備えている。ＴＸデータプロセッサＢ ２６０は、トラフィックデータを受け入れて処理し、データシンボルを出力する。ＴＸデータプロセッサＢ ２６０は、シンボル変調器Ｄ ２７０と通信する。シンボル変調器Ｄ ２７０は、データシンボルを受け入れて、アップリンクパイロットシンボルと多重化し、変調を行って、シンボルのストリームを提供する。１つの観点では、シンボル変調器Ｄ ２７０は、構成情報を提供するプロセッサＢ ２４０と通信する。シンボル変調器Ｄ ２７０は、送信機ユニットＢ ２８０と通信する。
【００２０】
送信される各シンボルは、データシンボル、アップリンクパイロットシンボル、または、０の信号値であってもよい。アップリンクパイロットシンボルは、各シンボル期間中で連続的に送られてもよい。１つの観点では、アップリンクパイロットシンボルは、周波数分割多重化（ＦＤＭ）される。別の観点では、アップリンクパイロットシンボルは、直交周波数分割多重化（ＯＦＤＭ）される。さらに別の観点では、アップリンクパイロットシンボルは、コード分割多重化（ＣＤＭ）される。１つの観点では、送信機ユニットＢ ２８０は、シンボルのストリームを受け取って、１つ以上のアナログ信号へとコンバートし、さらに、アナログ信号を調整し、例えば、増幅し、フィルタリングし、および／または、周波数アップコンバートし、ワイヤレス送信に適したアナログアップリンク信号を発生させる。アナログアップリンク信号は、その後、アンテナ２１０を通して送信される。
【００２１】
ＵＥ２０１からのアナログアップリンク信号は、アンテナ１４０により受信されて、サンプルを取得するために受信機ユニットＡ １５０により処理される。１つの観点では、受信機ユニットＡ １５０は、アナログアップリンク信号を第２の「調整した」信号へと調整し、例えば、フィルタリングし、増幅し、および、周波数ダウンコンバートする。第２の「調整した」信号は、その後、サンプリングされる。受信機ユニットＡ １５０は、シンボル復調器Ｃと通信する。当業者は、代替実施形態が、シンボル復調器Ｃ １６０におけるサンプリングプロセスを実現することを理解するだろう。シンボル復調器Ｃ １６０は、データシンボル上でデータ復調を行って、アップリンクパス上のデータシンボル推定を取得し、その後、アップリンクパイロットシンボルとアップリンクパス上のデータシンボル推定とをＲＸデータプロセッサＡ １７０に提供する。アップリンクパス上のデータシンボル推定は、送信されたデータシンボルの推定である。ＲＸデータプロセッサＡ １７０は、アップリンクパス上のデータシンボル推定を処理して、ワイヤレス通信デバイス２０１により送信されたトラフィックデータを復元する。シンボル復調器Ｃ １６０はまた、プロセッサＡ １８０と通信する。プロセッサＡ １８０は、アップリンクレッグ上で送信する、アクティブな端末それぞれに対するチャネル推定を行う。１つの観点では、複数の端末は、それらそれぞれに割り当てられているパイロットサブ帯域の組において、アップリンクレッグ上で同時にパイロットシンボルを送信してもよい。ここで、パイロットサブ帯域の組は、インターレースされていてもよい。
【００２２】
プロセッサＡ １８０およびプロセッサＢ ２４０は、（基地局としても知られる）アクセスノード１０１における動作と、ＵＥ２０１における動作とをそれぞれ命令する（すなわち、制御する、調整する、管理する等）。１つの観点では、プロセッサＡ １８０またはプロセッサＢ ２４０のいずれか、あるいは、双方が、プログラムコードおよび／またはデータを記憶する（示していない）１つ以上のメモリユニットに関係付けられている。１つの観点では、プロセッサＡ １８０またはプロセッサＢ ２４０のいずれか、あるいは、双方が、アップリンクレッグとダウンリンクレッグとに対する、周波数応答推定およびインパルス応答推定をそれぞれ導出するための計算を行う。
【００２３】
１つの観点では、アクセスノード／ＵＥシステム１００は、多元接続システムである。多元接続システム（例えば、ＦＤＭＡ、ＯＦＤＭＡ、ＣＤＭＡ、ＴＤＭＡ、ＳＤＭＡ等）に対しては、複数の端末が、アップリンクレッグ上で同時に送信する。１つの観点では、多元接続システムに対して、異なる端末間でパイロットサブ帯域を共有してもよい。各端末に対するパイロットサブ帯域が、（おそらく、帯域端を除いて）動作帯域全体にまたがるケースでは、チャネル推定技法が使用される。このようなパイロットサブ帯域構造は、各端末に対して周波数ダイバーシティを取得することが望ましい。
【００２４】
図２は、複数のユーザをサポートするワイヤレス通信システム２９０の例を示している。図２では、参照番号２９２Ａ〜２９２Ｇはセルに言及し、参照番号２９８Ａ〜２９８Ｇは基地局（ＢＳ）または基地トランシーバ局（ＢＴＳ）に言及し、参照番号２９６Ａ〜２９６Ｊはアクセスユーザ機器（ＵＥ）に言及する。セルサイズは変化してもよい。さまざまなアルゴリズムおよび方法のうちの何らかのものを使用して、システム２９０中の送信をスケジューリングしてもよい。システム２９０は、多数のセル２９２Ａないし２９２Ｇに対する通信を提供し、それらのうちのそれぞれには、対応する基地局２９８Ａないし２９８Ｇにより、それぞれサービスが提供される。進行中の通話が、１つのネットワークのセルと別のネットワークのセルとの間で移行するときに、システム間（すなわち、無線アクセス技術間（ＩＲＡＴ）移行）ハンドオーバーが生じる。このような移行は、例えば、ＷＣＤＭＡサイトとＧＳＭ（登録商標）サイトとの間で生じてもよい。
【００２５】
多重化は、複数のユーザの間で、通信リソースを共有するためのワイヤレス通信における一般的技術である。一般的に、時間スロットおよび／または周波数チャネルのような通信リソースは、何人かのユーザによる、搬送媒体の共通の使用法のための体系化された方法で共有される。２つの汎用タイプの多重化の方法がある。すなわち、排他的（専用）、および、非排他的（共有）である。排他的多重化技術を使用して、数少ないリソースの系統的な共有を提供してもよく、排他的多重化技術は、ワイヤレス搬送環境において、ロバストである。他方、非排他的多重化技術は、排他的なリソース割当を要求しないので、非排他的多重化技術は、改善されたリソース効率のために使用されてもよい。ワイヤレスシステム設計における所望のゴールは、排他的多重化技術のチャネルロバストネス特性と同時に、非排他的多重化技術の高いリソース効率を得ることである。
【００２６】
本開示は、フォワードリンク制御シグナリング（ＦＬＣＳ）の非排他的多重化のチャネルエラー性能制御のためのアプローチを図示する。１つの観点では、ＦＬＣＳは、移動体端末と、ワイヤレスネットワークとの間のさまざまなシグナリングチャネルを転送するための制御チャネルとして見ることができる。シグナリングチャネルは、所望の情報を搬送するユーザチャネルの管理と制御をサポートするためのワイヤレスシステム中のオーバーヘッドチャネルである。開示するアプローチの１つの利点は、チャネルロバストネスを損なうことのない、移動体ワイヤレス通信中の非排他的多重化による、改善された無線（ＯＴＡ）リソース利用効率である。
【００２７】
１つの例において、ＦＬＣＳは、移動体端末の間で、排他的に割り当てられており、高いＯＴＡリソース利用効率を持っている。排他的多重化の例は、送信ダイバーシティを有する、または、送信ダイバーシティを有さない、時分割多重化（ＴＤＭ）、周波数分割多重化（ＦＤＭ）、コード分割多重化（ＣＤＭ）、あるいは、上記のうちのいくつかまたはすべての組み合わせを含む。しかしながら、完全に排他的なＦＬＣＳ多重化は、ＦＬＣＳとフォワードリンク（ＦＬ）ユーザデータの間で共有される、数少ないＯＴＡリソースの利用を犠牲にして、オーバーヘッドシグナリングチャネルのシステム演算ロバストネスを確実にする。すなわち、ＦＬＣＳに対して排他的多重化が用いられるとき、ユーザデータチャネルに対するリソースの利用可能性が減少する。
【００２８】
宛先の間での不完全な分離と、チャネル歪みに対する脆弱にされた耐性を犠牲にして、非排他的多重化によって、改善されたＯＴＡ効率が得られてもよい。非排他的多重化とともに、複数の移動体端末は、潜在的なＦＬＣＳシグナリングチャネルに対する共有されたＯＴＡリソースを監視する。しかしながら、エラー妥当性確認を要求する非排他的多重化アプローチもあり、エラー妥当性確認は、チャネルエラーのために正確でないかもしれない。チャネルエラー軽減戦略が、単に、より数少ないＯＴＡリソースを割り当てることである場合、非排他的多重化の有用性は制限される。
【００２９】
本開示の非排他的多重化アプローチは、チャネルエラーに対するロバストネスに向けられており、移動体ワイヤレス通信システムにおけるＯＴＡ効率改善のための、排他的多重化に対する真の代替物としての、非排他的多重化を可能にする。そして、非排他的多重化アプローチは、ＦＬＣＳに制限されていない。
【００３０】
１つの観点では、ＦＬＣＳ多重化設計は、個別の移動体端末の制御のために排他的多重化を用いてもよい。例えば、排他的多重化は、ＴＤＭを通して達成することができ、ここで、個別の移動体は、曖昧さなく、基地局からＦＬＣＳを監視および受信するための、別個で、専用のタイムスロットを割り当てられる。排他的多重化はまた、ＦＤＭ、ＣＤＭ等を通して達成されることができ、ここで、移動体端末は、個別の移動体に個別に到達するための、ＦＬＣＳに対する、別個で専用の論理的チャネルリソースを割り当てられている。図３は、制御チャネル、例えば、フォワードリンク制御シグナリング（ＦＬＣＳ）の排他的多重化の例示的なダイアグラムを図示する。
【００３１】
個別の移動体端末に対して割り当てられている物理チャネルリソースが、すべての時間において完全に利用されているわけではないことが多いので、排他的多重化は、最も効率的な多重化技術ではない。多重化効率を改善するために、同一の物理的チャネルリソースが、予め定められたグループの移動体端末によって共有されることができる。それぞれの移動体端末は、その移動体グループに対して割り当てられた、物理的チャネルリソースから受信されたすべてのメッセージを監視してもよく、メッセージのコンテンツ中の宛先表示を探してもよい。
【００３２】
１つの例において、イーサネット（登録商標）パケット送信は、ほぼ完全な物理的チャネル特性から、または、潜時が許容できるときに再送信プロトコルの使用を通して、のいずれかによってもたらされる、理想的なトランスポートを一般的に想定している。いずれのケースにおいても、宛先アドレスまたはデバイス識別が、受信メッセージ内に埋め込まれており、パケットの意図される宛先を示す。対照的に、ワイヤレス移動体通信システムにとっては、移動体チャネルの性質と、再送信による潜時のコストとのせいで、理想的でないトランポートが基本的な想定である。これらの制約は、制御メッセージエラーのゼロでない確率をもたらし、ここで、ＯＴＡチャネルエラーによって、１つの移動体端末が別の移動体端末に間違えられる。チャネルコーディングの使用によって、十分に排他的多重化を維持するために、制御メッセージエラー確率は、一般的に小さい。１つの観点では、チャネルコーディングは、チャネル歪みを軽減させる一方で、ＯＴＡリソースを拡張させる。図４は、制御チャネル、例えば、フォワードリンク制御シグナリング（ＦＬＣＳ）の非排他的多重化の例示的な図を図示する。
【００３３】
最適化されたシステム設計の１つの例は、ウルトラモバイルブロードバンド（ＵＭＢ）ワイヤレスシステムのフォワード共有制御チャネル（Ｆ−ＳＣＣＨ）である。送信機側において、Ｆ−ＳＣＣＨメッセージは、媒体アクセス制御識別子（ＭＡＣ ＩＤ）によりスクランブルされる前に追加される、１６ビット巡回冗長性チェック（ＣＲＣ）コードを持ち、これは、コードレート Ｒ＝１／３と、制約長 Ｋ＝９とを有する、畳み込みエンコーディングによって後続される。
【００３４】
受信機側において、各移動体受信機は、ブロードキャストＭＡＣ ＩＤと、ユニキャストＭＡＣ ＩＤにより、少なくとも２つの異なる回数においてデスクランブリングされる前に、監視され、受信されたＦ−ＳＣＣＨメッセージ毎に一回、ビタビデコーディングを実行する。結果としてのＣＲＣコードは、次に、以下のことを確認するために、妥当性確認される。すなわち、（１）Ｆ−ＳＣＣＨメッセージが、正しく受信されたか、（２）Ｆ−ＳＣＣＨメッセージが、その移動体端末に対して向けられているか。このような最適化に伴う１つの問題は、例えば、１６ビットＣＲＣが使用されたとしても、依然として、ＵＭＢシステムの３０秒毎に、移動体端末毎に１つの潜在的ＦＬ制御エラーに至る、２＊２-16確率のエラーがあることであり、ここで、物理的フレーム継続期間は、およそ１ミリ秒である。より長いＣＲＣコードとともに、エラーの確率を減少させることができるが、より長いＣＲＣコードを使用することは、非排他的多重化の使用に対する根本的な理由に矛盾することになり、非効率性に貢献してしまう。
【００３５】
非排他的多重化エラーは、ユーザデータに対するスループットの損失を意味するが、制御シグナリングに対するより大きい含意も持つことができる。したがって、その効率性の利点を失うことなく、非排他的多重化のチャネルエラー制御を強化することが望ましい。１つの例において、非排他的多重化におけるチャネルロバストネスの問題は、例えば、変調配列のそれに類似した、多重化コンスタレーションを使用して、送信機において、分析され、補償されることができる。１つの観点では、非排他的多重化のためのエラー制御は、多重化コンスタレーションを使用して、どのように、チャネルエラーが、多重化エラーへと変わるのかを決定することを含む。非排他的多重化コンスタレーションは、アクティブなユーザに対するシグナリングに対する必要性に依拠して、時間変化しており、多重化性能は、コンスタレーション制御と電力制御によって、改善されることができる。
【００３６】
データ変調チャネルロバストネスは、送信電力に対する変調配列のマップに大いに依拠している。図５は、変調配列の３つの例を図示する。図５に示したような、直角位相シフトキーイング（ＱＰＳＫ）、１６−ＱＡＭ（１６直交振幅変調）、６４−ＱＡＭ（６４直交振幅変調）のような変調配列が共通して使用される。送信電力が定数であるとして仮定すると、所望の雑音耐性内で可能な、最も高い変調オーダーが、通常、選択される。
【００３７】
図６は、例示的な排他的多重化コンスタレーションの例を図示する。同様の概念を適用して、多重化チャネルロバストネスは、図６中に示した排他的多重化に対する、例示的な多重化コンスタレーションとともに分析することができる。図５に示した変調配列とは異なって、それぞれの移動体端末が、それ自体の専用論理チャネル割当を持っているとするならば、例示的な多重化コンスタレーション中には、何の曖昧さもない。チャネル雑音は、意図されている移動体端末において受信されたデータまたはシグナリング中だけにおいてエラーをもたらすことができ、他の移動体端末を混乱させないだろう。
【００３８】
他方、非排他的多重化コンスタレーションは、宛先アドレスが、ペイロードの一部として埋め込まれるときに、変調配列に非常に類似して見えることが多い。図７は、４ビット埋め込み宛先アドレスを使用した、非排他的多重化コンスタレーションの例を示し、これは、論理チャネルを共有する最大１６人のユーザを許容する。図７の例において、宛先アドレスは、メッセージペイロード中に埋め込まれている。適切なスケジューリングとともに、ユーザの数の減少に伴って、コンスタレーションポイントの間のスペーシングが増加するにつれて、チャネルロバストネスが改善される。図７は、非排他的多重化コンスタレーションによって使用されている４ビット埋め込み宛先アドレスを図示しているが、当業者は、本開示の範囲または精神に影響を及ぼすことなく、他のビット量（例えば、ｒ−ｂｉｔ）を、埋め込み宛先アドレスに対して使用できることを理解するだろう。
【００３９】
１つの観点では、メッセージが、キーの一部としての宛先アドレスによりスクランブルされているとき、非排他的多重化コンスタレーションは、時として、より動的であることもあるので、分析するのが難しいかもしれない。図８は、スクランブリングのために宛先アドレスを使用する非排他的多重化コンスタレーションの例を図示する。図８において、非排他的多重化コンスタレーションは、宛先アドレスによってスクランブルされるメッセージペイロードを含む。データ依存の巡回冗長性チェック（ＣＲＣ）コードと、Ｆ−ＳＣＣＨチャネルの時間ベースのスクランブリングとは、経時変化し、均質に分散されたコンスタレーションをもたらす。チャネルロバストネスの指標として共通して使用される、コンスタレーションポイントの間のスペーシングは、ユーザの数とは無関係に、同一のワーストケースの距離を有するランダム変数になる。
【００４０】
排他的多重化のまわりで設計された従来のソリューションは、ＣＲＣコードサイズ、または、送信電力のいずれかを増加させることになり、非排他的多重化の効率性の利点を無効化し、排他的多重化の簡潔さに対して、これを劣らせる。ＣＲＣコードサイズ増加は、多重化コンスタレーションスペースを効率的に拡張させるが、非排他的多重化のランダムな特性を仮定すると、コンスタレーションポイントの間のスペーシングを必ずしも拡張させる必要はないかもしれない。非排他的多重化コンスタレーションの動的な性質に対処することなく、よりよい多重化ロバストネスに対する送信電力を増加させることは、必ずしも排他的多重化を性能の上でしのがないだろう。
【００４１】
１つの観点では、データ変調に対するチャネルロバストネスの性能メトリックは、静的であり、全面的にポピュレートされる、選択された変調配列中の、平均スペーシングである。性能メトリックはまた、すべてのエラーから等しい影響を仮定する。しかしながら、いくつかのエラーは、他のエラーより重篤にシステム演算に影響を及ぼすかもしれないことを仮定すると、平均スペーシングのメトリックは、多重化コンスタレーションに対して適切ではない。結果として、多重化コンスタレーションにおける最小スペーシングが重要である。また、より少ない移動体端末とともに動作しているときには、多重化コンスタレーションにおける最小スペーシングは改善されないかもしれない。したがって、非排他的多重化コンスタレーションのランダムで動的な性質は、従来のソリューションが、チャネルロバストネス性能を有効に改善することを妨げる。
【００４２】
本開示に開示するような、非排他的多重化フォワードリンク制御シグナリング（ＦＬＣＳ）のチャネルエラー性能制御に対するアプローチは、図９に示したような、フレーム毎のコンスタレーション制御と電力制御とを実現することによって、非排他的多重化のチャネルロバストネス性能を改善する。図９は、非排他的多重化コンスタレーションおよび電力制御の例を図示する。コンスタレーション制御は、コンスタレーションポイントの間の最小スペーシング中で、可能な限り多くの利得とともに、必要とされるだけ少ないコンスタレーションポイントを除去するように働く。コンスタレーションポイントの除去は、例えば、ＭＡＣレイヤプロトコルまたはより高いレイヤプロトコルとの、レイヤ相互のコラボレーションを要求する、特定の移動体端末に対する予定された制御シグナリングをキャンセルすること、あるいは、遅延させることを意味する。結果としての最小スペーシングが潜在的に修正され、多重化コンスタレーションが、依然として、チャネルロバストネス要求を満たさない場合、個別の制御シグナリングに対する送信電力レベルをさらに調整して、他のシステム制約の下で、許容された範囲内で、多重化コンスタレーションをスケールすることができる。
【００４３】
１つの例において、多重化コンスタレーションの最小スペーシングに対するメトリックは、１つは完全なチャネル（何のチャネルエラーもない）状況下にあり、もう１つは、完全でないチャネル（チャネルエラーを有する）状況下にある、２つのＣＲＣコードの間のハミング距離である。ＣＲＣ演算の線形性のために、チャネルエラーで破損されたメッセージシーケンスのＣＲＣコードは、単に、チャネルエラーのない、メッセージシーケンスのＣＲＣコードと、エラーシンドロームシーケンスのＣＲＣコードとの、Ｇａｌｏｉｓフィールドモジュロ２（ＧＦ（２））合計（排他的ＯＲ、すなわち、ＸＯＲとしても知られている）である。
【数１】
0005524195.tif 000002
【００４４】
ここで、ｍ（ｘ）は、メッセージシーケンスであり、ｅ（ｘ）は、エラーシンドロームシーケンスである。
【００４５】
スクランブリングおよびデスクランブリングもまた、線形演算であるので、数式（１）における関係は、ｍ（ｘ）がスクランブルされるときと、ｍ（ｘ）がデスクランブルされるときに、依然として保持される。１つの例において、実際のインプリメンテーションは、妥当なＳＮＲ演算範囲下の、可能性あるエラーシンドロームの予め計算されたＣＲＣコードのルックアップテーブルを使用することである。例えば、ｎビット長ＣＲＣコードに対するすべての可能性ある２nエラーシンドロームシーケンスのサブセットを使用して、全面的に徹底的なエラーシンドロームシーケンス空間サーチを避けることができる。オリジナルＣＲＣコードと、ルックアップテーブルからのエラーシンドロームのＣＲＣコードとのＸＯＲである、チャネル破損されたメッセージシーケンスのすべての可能性あるＣＲＣコード上で、最小ＣＲＣコード距離（例えば、ハミング距離）をとることによって、（アクティブなＭＡＣ ＩＤの数に依拠する）潜在的な非排他的多重化によるそれぞれの送信メッセージに対して、対応するＣＲＣコードの最小距離を計算することができる。
【００４６】
図１０は、制御チャネル、例えば、フォワードリンク制御シグナリング（ＦＬＣＳ）のエラー制御を有する非排他的多重化の例示的なブロック図を図示する。ロバストネスを得るために、コンスタレーションおよび電力制御を有するＦＬＣＳの非排他的多重化のための可能性あるアーキテクチャを示す。
【００４７】
図１１は、制御チャネル、例えば、フォワードリンク制御シグナリング（ＦＬＣＳ）の非排他的多重化の例示的なフロー図を図示する。ブロック１１１０において、次のフレーム中で送信するための少なくとも１つの制御チャネルを準備し、ここで制御チャネルはアクティブである。１つの例において、制御チャネルは、フォワードリンク制御シグナリング（ＦＬＣＳ）である。１つの例において、送信するための少なくとも１つの制御チャネルを準備するステップは、図１に示したＴｘデータプロセッサＡ１１０に類似した、送信機データプロセッサによって実行される。
【００４８】
ブロック１１１０に続いて、ブロック１１２０において、少なくとも１つの制御チャネルのチャネルロバストネスを評価する。１つの観点では、チャネルロバストネスを評価するために、以下のメトリクス：信号対雑音比（ＳＮＲ）、フェードレート、ビットエラーレート、または、フレームエラーレート等、のうちの１つ以上が使用される。当業者は、ここで開示する例示的なメトリクスが、例であることを意図しており、排他的なものでないことを理解するだろう。本開示の範囲または精神に影響を及ぼすことなく、他のメトリクスも使用してもよい。１つの例において、チャネルロバストネスを評価するステップは、図１に示したプロセッサＡ１８０に類似した、プロセッサによって実行される。
【００４９】
１つの観点では、チャネルロバストネスを評価するために、チャネルロバストネスしきい値が使用される。１つの観点では、チャネルロバストネスしきい値は、以下の：信号対雑音比（ＳＮＲ）、フェードレート、ビットエラーレート、または、フレームエラーレート等、のうちの１つ以上である。例えば、チャネルロバストネスしきい値が満たされる場合、チャネルはロバストであると考えられる。しかしながら、チャネルロバストネスしきい値が満たされない場合、チャネルはロバストでないと考えられる。ブロック１１２０に続いて、ブロック１１３０において、チャネルロバストネスしきい値が満たされているか否かを決定する。チャネルロバストネスしきい値が満たされていない場合、ブロック１１４０に進む。チャネルロバストネスしきい値が満たされている場合、ブロック１１５０に進む。
【００５０】
ブロック１１４０において、アクティブな、少なくとも１つの制御チャネルのコンスタレーション制御または電力制御を実行する。例えば、図９に示したように、チャネルエラーを減少させるために、コンスタレーション中の１つのコンスタレーションポイントが削除される。１つの例において、削除されるコンスタレーションポイントは、別のコンスタレーションポイントから、最小の距離（例えば、ハミング距離）を持っている。１つの例において、コンスタレーションポイントは、巡回冗長性チェック（ＣＲＣ）コードを含む。１つの例において、コンスタレーション制御を実行するステップは、図１に示したシンボル変調器Ａ１２０に類似した、シンボル変調器によって実行される。
【００５１】
ブロック１１５０において、少なくとも１つの制御チャネルを送信する。１つの例において、送信ステップは、図１に示した送信機Ａ１３０に類似した、送信機によって実行される。
【００５２】
１つの例において、少なくとも１つの制御チャネルは、修正されたコンスタレーション（すなわち、コンスタレーションが調整される）、および、修正された送信電力レベルとともに送信される。１つの例において、少なくとも１つの制御チャネルは、以下のもの：時分割多重化（ＴＤＭ）、周波数分割多重化（ＦＤＭ）、コード分割多重化（ＣＤＭ）、または、これらの３つの多重化スキームの何らかのものの混合のうちの１つを使用して送信される。ブロック１１５０に続いて、次のフレーム中でのさらなる送信のために、ブロック１１１０に戻る。
【００５３】
当業者は、ここで開示するフォワードリンク制御シグナリング（ＦＬＣＳ）の非排他的多重化のチャネルエラー性能制御に対するアプローチを、これに限定されるわけではないが、例えば、ウルトラモバイルブロードバンド（ＵＭＢ）ワイヤレスシステムに対して適用可能であることを理解するだろう。
【００５４】
当業者は、本開示の範囲および精神から逸脱することなく、図１１中の例示的なフローダイアグラムで開示したステップの順序を交換できることを理解するだろう。また、当業者は、フローダイアグラムで示したステップが排他的なものではなく、本開示の範囲および精神に影響を及ぼすことなく、他のステップを含めることができ、あるいは、例示的なフローダイアグラム中のステップのうちの１つ以上を削除できることを理解するだろう。
【００５５】
ここで開示した例に関連して説明したさまざまな例示的なコンポーネント、論理ブロック、モジュール、回路、および／または、アルゴリズムステップが、電子ハードウェア、ファームウェア、コンピュータソフトウェア、または、これらを組み合わせたものとして実現されてもよいことを当業者はさらに正しく認識するであろう。ハードウェア、ファームウェア、およびソフトウェアのこの交換可能性を明確に示すために、さまざまな例示的なコンポーネント、ブロック、モジュール、回路、および／または、アルゴリズムステップを概してこれらの機能性に関して上述した。そのような機能が、ハードウェア、ファームウェア、またはソフトウェアとして実現されるか否かは、特定の応用およびシステム全体に課せられた設計の制約に依存する。当業者は、それぞれの特定の応用に対して変化する方法で、説明した機能性を実現してもよいが、そのようなインプリメンテーションの決定は、本開示の範囲または精神からの逸脱を生じさせるものとして解釈すべきではない。
【００５６】
ハードウェアインプリメンテーションのために、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいはこれらを組み合わせたもの内で実現されてもよい。ソフトウェアでは、インプリメンテーションは、ここで説明した機能を実行するモジュール（例えば、手続、関数等）によるものであってもよい。ソフトウェアコードは、メモリユニット中に記憶されて、プロセッサユニットによって実行されてもよい。加えて、ここで説明したさまざまな例示的なフローダイアグラム、論理ブロック、モジュール、および／または、アルゴリズムステップは、技術的に知られている何らかのコンピュータ読取可能媒体上で運ばれるコンピュータ読取可能命令として、コード化されてもよく、あるいは、技術的に知られている何らかのコンピュータプログラムプロダクト中で実現されてもよい。
【００５７】
１つ以上の例において、ここで説明したステップまたは機能は、ハードウェアで、ソフトウェアで、ファームウェアで、または、これらの何らかの組み合わせで実現してもよい。ソフトウェアで実現された場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、および、マイクロ波のような、ワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のような、ワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【００５８】
１つの例では、ここで説明した例示的なコンポーネント、フローダイアグラム、論理ブロック、モジュール、および／または、アルゴリズムステップは、１つ以上のプロセッサによって実現または実行される。１つの観点では、ここで説明したさまざまなフローダイアグラム、論理ブロック、および／または、モジュールを実現または実行するために、プロセッサは、プロセッサにより実行されるデータ、メタデータ、プログラム命令等を記憶するメモリに結合されている。図１２は、制御チャネル、例えば、フォワードリンク制御シグナリング（ＦＬＣＳ）の非排他的多重化のチャネルエラー性能制御のためのプロセスを実行するための、メモリ１２２０と通信するプロセッサ１２１０を備えているデバイス１２００の例を示している。１つの例では、デバイス１２００を使用して、図１１で示したアルゴリズムを実現する。１つの観点では、メモリ１２２０は、プロセッサ１２１０内に位置している。別の観点では、メモリ１２２０は、プロセッサ１２１０の外部にある。１つの観点では、プロセッサは、ここで説明する、さまざまなフローダイアグラム、論理ブロックおよび／またはモジュールを実現または実行するための回路を備えている。
【００５９】
図１３は、制御チャネル、例えば、フォワードリンク制御シグナリング（ＦＬＣＳ）の非排他的多重化のチャネルエラー性能制御に適したデバイス１３００の例を示している。１つの観点では、ここで、ブロック１３１０、１３２０、１３３０、１３４０、および、１３５０において説明するような、フォワードリンク制御シグナリング（ＦＬＣＳ）の非排他的多重化のチャネルエラー性能制御の異なる観点を提供するように構成されている１つ以上のモジュールを備えている、少なくとも１つのプロセッサにより、デバイス１３００は実現される。例えば、各モジュールは、ハードウェア、ファームウェア、ソフトウェア、または、これらの何らかの組み合わせを含む。１つの観点では、少なくとも１つのプロセッサと通信する少なくとも１つのメモリによっても、デバイス１３００は実現される。
【００６０】
開示した観点の先の説明は、当業者が本開示を製造または使用することができるように提供されている。これらの観点に対するさまざまな改良は、当業者にとって容易に明らかだろう。本開示の精神または範囲から逸脱することなく、ここで定義した一般的な原理を他の観点に対して適用してもよい。  
以下に、本願出願の当初の特許請求の範囲に記載された発明を付記する。
［１］
少なくとも１つのアクティブ制御チャネルの非排他的多重化の方法において、
送信機データプロセッサを使用して、次のフレーム中で送信するための前記少なくとも１つのアクティブ制御チャネルを準備することと、
チャネルロバストネスしきい値に基づいて、前記少なくとも１つのアクティブ制御チャネルのチャネルロバストネスを評価することと、
前記チャネルロバストネスしきい値が満たされない場合、前記少なくとも１つのアクティブ制御チャネルを送信する前に、前記少なくとも１つのアクティブ制御チャネルに、配列制御または電力制御を実行することと、
前記チャネルロバストネスしきい値が満たされる場合、送信機を使用して、前記少なくとも１つのアクティブ制御チャネルを送信することと
を含む方法。
［２］
前記配列制御を実行するステップは、前記配列中の第１の配列ポイントを削除することを含む、上記［１］に記載の方法。
［３］
前記第１の配列ポイントは、前記配列中で、第２の配列ポイントからの最小の距離を有する、上記［２］に記載の方法。
［４］
前記距離はハミング距離である、上記［３］に記載の方法。
［５］
前記配列は、巡回冗長性チェック（ＣＲＣ）コードを含む、上記［１］に記載の方法。
［６］
前記チャネルロバストネスしきい値は、以下のメトリクス：信号対雑音比（ＳＮＲ）、フェードレート、ビットエラーレート、または、フレームエラーレート、のうちの１つに基づいている、上記［１］に記載の方法。
［７］
時分割多重化（ＴＤＭ）、周波数分割多重化（ＦＤＭ）、コード分割多重化（ＣＤＭ）、または、これらの組み合わせのうちの１つを使用して、前記少なくとも１つのアクティブ制御チャネルを送信することをさらに含む、上記［１］に記載の方法。
［８］
前記少なくとも１つのアクティブ制御チャネルは、フォワードリンク制御シグナリング（ＦＬＣＳ）である、上記［１］に記載の方法。
［９］
前記少なくとも１つのアクティブ制御チャネルは、ウルトラモバイルブロードバンド（ＵＭＢ）ワイヤレスシステムの一部である、上記［８］に記載の方法。
［１０］
少なくとも１つのアクティブ制御チャネルの非排他的多重化のための基地局において、
次のフレーム中で送信するための前記少なくとも１つのアクティブ制御チャネルを準備する送信機データプロセッサと、
チャネルロバストネスしきい値に基づいて、前記少なくとも１つのアクティブ制御チャネルのチャネルロバストネスを評価する制御プロセッサと、
前記制御プロセッサに結合されており、前記チャネルロバストネスしきい値が満たされない場合、前記少なくとも１つのアクティブ制御チャネルを送信する前に、前記少なくとも１つのアクティブ制御チャネルに、配列制御または電力制御を実行するシンボル変調器と、
前記シンボル変調器に結合されており、前記チャネルロバストネスしきい値が満たされる場合、前記少なくとも１つのアクティブ制御チャネルを送信する送信機と
を具備する基地局。
［１１］
前記シンボル変調器は、前記配列中の第１の配列ポイントを削除することによって、配列制御を実行する、上記［１０］に記載の基地局。
［１２］
前記第１の配列ポイントは、前記配列中で、第２の配列ポイントからの最小の距離を有する、上記［１１］に記載の基地局。
［１３］
前記距離はハミング距離である、上記［１２］に記載の基地局。
［１４］
前記配列は、巡回冗長性チェック（ＣＲＣ）コードを含む、上記［１０］に記載の基地局。
［１５］
前記チャネルロバストネスしきい値は、以下のメトリクス：信号対雑音比（ＳＮＲ）、フェードレート、ビットエラーレート、または、フレームエラーレート、のうちの１つに基づいている、上記［１０］に記載の基地局。
［１６］
前記送信機は、時分割多重化（ＴＤＭ）、周波数分割多重化（ＦＤＭ）、コード分割多重化（ＣＤＭ）、または、これらの組み合わせのうちの１つを使用して、前記少なくとも１つのアクティブ制御チャネルを送信する、上記［１０］に記載の基地局。
［１７］
前記少なくとも１つのアクティブ制御チャネルは、フォワードリンク制御シグナリング（ＦＬＣＳ）である、上記［１０］に記載の基地局。
［１８］
前記基地局は、ウルトラモバイルブロードバンド（ＵＭＢ）ワイヤレスシステムの一部である、上記［１７］に記載の基地局。
［１９］
少なくとも１つのアクティブ制御チャネルの非排他的多重化のための基地局において、
送信機データプロセッサを使用して、次のフレーム中で送信するための前記少なくとも１つのアクティブ制御チャネルを準備する手段と、
チャネルロバストネスしきい値に基づいて、前記少なくとも１つのアクティブ制御チャネルのチャネルロバストネスを評価する手段と、
前記チャネルロバストネスしきい値が満たされない場合、前記少なくとも１つのアクティブ制御チャネルを送信する前に、前記少なくとも１つのアクティブ制御チャネルに、配列制御または電力制御を実行する手段と、
前記チャネルロバストネスしきい値が満たされる場合、前記少なくとも１つのアクティブ制御チャネルを送信する手段と
を具備する基地局。
［２０］
配列制御を実行する手段は、前記配列中の第１の配列ポイントを削除する、上記［１９］に記載の基地局。
［２１］
前記第１の配列ポイントは、前記配列中で、第２の配列ポイントからの最小の距離を有する、上記［２０］に記載の基地局。
［２２］
前記距離はハミング距離である、上記［２１］に記載の基地局。
［２３］
前記配列は、巡回冗長性チェック（ＣＲＣ）コードを含む、上記［１９］に記載の基地局。
［２４］
前記チャネルロバストネスしきい値は、以下のメトリクス：信号対雑音比（ＳＮＲ）、フェードレート、ビットエラーレート、または、フレームエラーレート、のうちの１つに基づいている、上記［１９］に記載の基地局。
［２５］
前記少なくとも１つのアクティブ制御チャネルを送信する手段は、時分割多重化（ＴＤＭ）、周波数分割多重化（ＦＤＭ）、コード分割多重化（ＣＤＭ）、または、これらの組み合わせのうちの１つを使用する、上記［１９］に記載の基地局。
［２６］
前記少なくとも１つのアクティブ制御チャネルは、フォワードリンク制御シグナリング（ＦＬＣＳ）であり、前記基地局は、ウルトラモバイルブロードバンド（ＵＭＢ）ワイヤレスシステムの一部である、上記［１９］に記載の基地局。
［２７］
記憶されているプログラムコードを含むコンピュータ読取可能媒体において、
送信機データプロセッサを使用して、次のフレーム中で送信するための前記少なくとも１つのアクティブ制御チャネルを準備するためのプログラムコードと、
チャネルロバストネスしきい値に基づいて、前記少なくとも１つのアクティブ制御チャネルのチャネルロバストネスを評価するためのプログラムコードと、
前記チャネルロバストネスしきい値が満たされない場合、前記少なくとも１つのアクティブ制御チャネルを送信する前に、前記少なくとも１つのアクティブ制御チャネルに、配列制御または電力制御を実行するためのプログラムコードと、
前記チャネルロバストネスしきい値が満たされる場合、送信機を使用して、前記少なくとも１つのアクティブ制御チャネルを送信するためのプログラムコードと
を含む、コンピュータ読取可能媒体。
［２８］
前記配列制御を実行するためのプログラムコードは、前記配列中の第１の配列ポイントを削除するためのプログラムコードをさらに含む、上記［２７］に記載のコンピュータ読取可能媒体。
［２９］
前記第１の配列ポイントは、前記配列中で、第２の配列ポイントからの最小の距離を有する、上記［２８］に記載のコンピュータ読取可能媒体。
［３０］
前記距離はハミング距離である、上記［２９］に記載のコンピュータ読取可能媒体。
［３１］
前記配列は、巡回冗長性チェック（ＣＲＣ）コードを含む、上記［２７］に記載のコンピュータ読取可能媒体。
［３２］
前記チャネルロバストネスしきい値は、以下のメトリクス：信号対雑音比（ＳＮＲ）、フェードレート、ビットエラーレート、または、フレームエラーレート、のうちの１つに基づいている、上記［２７］に記載のコンピュータ読取可能媒体。
［３３］
前記少なくとも１つのアクティブ制御チャネルを送信するためのプログラムコードは、時分割多重化（ＴＤＭ）、周波数分割多重化（ＦＤＭ）、コード分割多重化（ＣＤＭ）、または、これらの組み合わせのうちの１つを使用する、上記［２７］に記載のコンピュータ読取可能媒体。
［３４］
前記少なくとも１つのアクティブ制御チャネルは、フォワードリンク制御シグナリング（ＦＬＣＳ）であり、ウルトラモバイルブロードバンド（ＵＭＢ）ワイヤレスシステムの一部である、上記［２７］に記載のコンピュータ読取可能媒体。
【図１】
0005524195.tif 000003
【図２】
0005524195.tif 000004
【図３】
0005524195.tif 000005
【図４】
0005524195.tif 000006
【図５】
0005524195.tif 000007
【図６】
0005524195.tif 000008
【図７】
0005524195.tif 000009
【図８】
0005524195.tif 000010
【図９】
0005524195.tif 000011
【図１０】
0005524195.tif 000012
【図１１】
0005524195.tif 000013
【図１２】
0005524195.tif 000014
【図１３】
0005524195.tif 000015